(57)【特許請求の範囲】
【請求項１】
映像データおよび音声データを記録媒体に記録する記録手段と、
表示手段を用いて、前記映像データまたは前記音声データを前記記録媒体に記録をする時間帯を、前記映像データと前記音声データとについて別々のメニュー画面でユーザが予約設定するタイマー予約手段と、
前記タイマー予約手段によって予約された設定に基づいて前記記録手段を制御し、前記映像データのみの記録、前記音声データのみの記録、前記映像データと前記音声データの両方の記録のうち何れかを行わせる制御手段とを備えることを特徴とする映像音声記録装置。
【請求項２】
請求項１において、
前記タイマー予約手段は、映像についての記録が設定されている時間帯と、音声についての記録が設定されている時間帯とを別々のメニュー画面で前記表示手段に表示することを特徴とする映像音声記録装置。
【請求項３】
請求項１または２において、
前記タイマー予約手段は、前記映像データを記録する時間帯と、前記映像データを記録しない時間帯と、前記音声データを記録する時間帯と、前記音声データを記録しない時間帯とを、１つの画面上に並べて表示させ、タイマー予約設定の確認を行わせることを特徴とする映像音声記録装置。
【請求項４】
請求項１から３の何れかにおいて、
前記記録媒体に記録されている映像データおよび音声データを再生する再生手段を備え、
前記再生手段は、前記記録媒体に記録されている映像データであって、対応する音声データがない映像データを再生する場合、音声データがない旨の表示を前記表示手段に表示することを特徴とする映像音声記録装置。
【請求項５】
請求項１から３の何れかにおいて、
前記記録媒体に記録されている映像データおよび音声データを再生する再生手段を備え、
前記再生手段は、前記記録媒体に記録されている音声データであって、対応する映像データがない音声データを再生する場合、映像データがない旨の表示を前記表示手段に表示することを特徴とする映像音声記録装置。
【請求項６】
請求項１から５の何れかにおいて、
前記制御手段は、前記タイマー予約手段によって予約設定された前記映像データを記録する時間帯と前記音声データを記録する時間帯とが重なる場合には、前記映像データと、前記映像データに対応する音声データとの両方を、前記記録媒体に記録させるよう制御することを特徴とする映像音声記録装置。
【発明の詳細な説明】
【技術分野】
【０００１】
本発明は、映像音声記録装置に関する。
【背景技術】
【０００２】
本技術分野の背景技術として、例えば、特開２００１−８６４５６号公報（特許文献１）がある。該公報には、課題として「タイマ録画の設定においては、１日のうちで録画を行なう時刻と行なわない時刻を２分して設定するもの、あるいは複数の設定と録画間隔が設定できるが、各曜日とも同一の設定となるものなどであり、詳細な設定を行なうことができず、また、同日に複数の録画スケジュールを設定し、さらに、曜日毎に異なった設定を行なうことが困難であった。」と記載され、解決手段として「本発明は、これらの問題を解決するために、タイマ録画のスケジュール設定方法において、一画面１週間分のスケジュール作成画面を２プログラム分表示し、さらにページを切り替えることで複数のプログラムの設定を容易に行なえるようにする。さらに、あらかじめ何種類かの録画方法を設定した録画プリセット（録画間隔・画質・画像解像度、録画モード等を指定する）を作成しておき、当該スケジュールにおいて、該プリセットを指定できるようにする。」と記載されている。
【０００３】
また、他の背景技術として、例えば、特開平７−３２２２０２号公報（特許文献２）がある。該公報には、目的として「動画像蓄積装置において、ファイル装置の使用効率を上げる。」と記載され、構成として「無映像状態検出部４及び無音声状態検出部６により、無映像状態及び無音声状態を検出する。動画像を符号化する場合には無映像状態時には無映像データコード、無音声状態時には無音声データコードにより符号化を行ない、映像データと音声データの同期をとるために、同期信号付加部７により同期信号を符号化データに付加する。動画像を復号化する時には、符号化時に付加した同期信号をもとに、同期信号検出部１０、映像デコーダ１１、音声デコーダ１２により動画像の復号をおこなう。」と記載されている。
【０００４】
【特許文献１】特開２００１−８６４５６号公報
【特許文献２】特開平７−３２２２０２号公報
【発明の開示】
【発明が解決しようとする課題】
【０００５】
主に監視システムに使用されているハードディスク（ＨＤＤ）を利用した映像音声記録装置においては、限られた記録媒体の容量に対して、可能な限り長時間の映像データや音声データを記録することが求められている。そのため、記録するデータの高圧縮化、記録するデータの間欠記録、アラーム検出による記録、モーションディテクタ検出による記録、タイマー記録などを駆使し、必要最小限のデータだけを記録するように工夫して、長時間記録を実現している。
【０００６】
ところで、監視システムの映像音声記録装置に記録するデータを必要最小限にしようとした場合、監視する時間帯や目的により記録するデータを変更する必要がある。例えば、従業員がいる時間が４：００〜２２：００、営業時間が１０：００〜２０：００、消灯時間が２２：００〜４：００の店舗内を監視する場合、営業時間においては、店舗内の喧騒により人物の声を詳細に捕らえることが出来ないため、音声の記録を不要としてもよい。消灯時間においては、照度不足により監視カメラが被写体を捕らえることが困難となるため、映像の記録を不要としてもよい。また、営業前後の従業員がいる時間帯４：００〜１０：００及び２０：００〜２２：００においては、開店準備、閉店準備中のこの時間帯は店舗内に従業員しかいないため、犯行等が発生した場合には映像だけでなく会話内容も鮮明に記録しておくことが必要なため、映像と音声を記録する必要がある。以上から、必要最小限のデータだけを記録しようとした場合、営業時間（１０：００〜２０：００）は映像だけを記録、消灯時間（２２：００〜４：００）は音声だけを記録、営業時間・消灯時間以外の時間（２０：００〜２２：００、４：００〜１０：００）は映像と音声両方を記録、という設定にする必要がある。
【０００７】
しかしながら、特許文献１記載の従来技術では、タイマー記録設定時に映像と音声の記録設定を別々に設定することには配慮されていないため、「特定の時間帯は音声だけ記録」や「特定の時間帯は映像だけ記録」という設定が出来ない。そのため、営業時間（１０：００〜２０：００）をタイマー記録設定すると、必要な映像だけでなく必要としていない音声も記録してしまうことになる。このように必要としていない映像または音声を記録してしまうことになり、長時間記録が出来ないという問題があった。
【０００８】
また、上記特許文献２記載の従来技術では、タイマー記録設定時に映像と音声の記録設定を別々に設定することには配慮されておらず、さらに無映像または無音声状態時の無映像または無音声データコードによる符号化データには所定のデータ量があるため、その分記録できる時間が短くなってしまうという問題があった。
【０００９】
つまり、時間帯毎に映像データと音声データの記録設定を独立して別々に設定できるようにすることで、不要な映像または音声の記録データを減らし長時間記録が出来るという点において使い勝手向上の余地がある。
【００１０】
そこで、本発明は、映像音声記録装置の使い勝手向上を目的としている。
【課題を解決するための手段】
【００１１】
上記目的は、特許請求の範囲に記載の発明により達成される。
【発明の効果】
【００１２】
本発明によれば、映像音声記録装置の使い勝手が向上する。
【発明を実施するための最良の形態】
【００１３】
本発明による監視システムに使用される映像音声記録装置の実施例を、図１〜図２０を用いて説明する。
【実施例１】
【００１４】
本発明による映像音声記録装置の第１の実施形態を、図１〜図１７を用いて説明する。
【００１５】
図１は、本発明の第１の実施形態による映像音声記録装置のブロック図である。映像、音声それぞれの記録時と再生時に分けて動作及び流れを説明する。
【００１６】
映像記録時は、監視カメラからの入力映像信号をＡ／Ｄ変換手段１によってアナログ信号からデジタル信号の映像データへ変換し、映像圧縮伸張手段２にて圧縮処理を行なう。この際、圧縮処理途中の映像データは、一時記憶手段３に記憶される。圧縮された圧縮映像データは、記録媒体用通信手段４にて、システム制御手段８の命令により時刻情報等の管理情報を合成した後、記録データとしてハードディスク等の記録媒体６に記録される。この際、映像圧縮伸張手段２と記録媒体６との通信途中の圧縮映像データは、記録媒体用通信手段４によって、一時記憶手段５に記憶される。
【００１７】
映像再生時は、記録媒体６から読み出された圧縮映像データは記録媒体用通信手段４を介し、映像圧縮伸張手段２によって伸張処理される。この際、記録媒体６と映像圧縮伸張手段２との通信途中の圧縮映像データは、記録媒体用通信手段４によって、一時記憶手段５に記憶される。また、映像圧縮伸張手段２で伸張処理途中の映像データは、一時記憶手段３に記憶される。伸張された映像データは、ＯＳＤ手段１０により文字情報等が重畳された後、Ｄ／Ａ変換手段７によってアナログ信号に変換され、出力映像信号として出力される。
【００１８】
音声記録時は、マイクにて集音した入力音声信号をＡ／Ｄ変換手段１ａによってアナログ信号からデジタル信号の音声データへ変換し、音声圧縮伸張手段２ａにて圧縮処理を行なう。この際、圧縮処理途中の音声データは一時記憶手段３ａに記憶される。圧縮された圧縮音声データは、記録媒体用通信手段４にて、システム制御手段８の命令により時刻情報等の管理情報を合成した後、記録データとして記録媒体６に記録される。この際、音声圧縮伸張手段２ａと記録媒体との通信途中の圧縮音声データは、記録媒体用通信手段４によって、一時記憶手段５に記憶される。
【００１９】
音声再生時は、記録媒体６から読み出された圧縮音声データは記録媒体用通信手段４を介し、音声圧縮伸張手段２ａによって伸張処理される。この際、記録媒体６と音声圧縮伸張手段２ａとの通信途中の圧縮音声データは、記録媒体用通信手段４によって、一時記憶手段５に記憶される。また、音声圧縮伸張手段２ａで伸張処理途中の音声データは、一時記憶手段３ａに記憶される。伸張された音声データは、Ｄ／Ａ変換手段７ａによってアナログ信号に変換され、出力音声信号として出力される。
【００２０】
映像及び音声記録時は、映像圧縮伸張手段２及び音声圧縮伸張手段２ａにて圧縮された圧縮映像データ及び圧縮音声データを、記録媒体用通信手段４にて、システム制御手段８の命令により時刻情報等の管理情報を合成するとともに映像データと音声データの同期を合わせ合成（多重化）した上で、記録データとして記録媒体６に記録される。この際、映像圧縮伸張手段２及び音声圧縮伸張手段２ａと記録媒体６との通信途中のデータは、記録媒体用通信手段４によって、一時記憶手段５に記憶される。
【００２１】
映像及び音声再生時は、記録媒体６から読み出された多重化されている圧縮映像データ及び圧縮音声データを、記録媒体用通信手段４にて、圧縮映像データと圧縮音声データとに分離し、システム制御手段８の命令により、それぞれのデータに記録されている時刻情報を元に同期合わせを行ない、映像圧縮伸張手段２及び音声圧縮伸張手段２ａによって伸張処理される。この際、記録媒体６と映像圧縮伸張手段２及び音声圧縮伸張手段２ａとの通信途中のデータは、記録媒体用通信手段４によって、一時記憶手段５に記憶される。また、映像圧縮伸張手段２で伸張処理途中の映像データは、一時記憶手段３に記憶される。音声圧縮伸張手段２ａで伸張途中の音声データは、一時記憶手段３ａに記憶される。伸張された映像データは、ＯＳＤ手段１０を介してＤ／Ａ変換手段７によってアナログ信号に変換され、出力映像信号として出力される。伸張された音声データは、Ｄ／Ａ変換手段７ａによってアナログ信号に変換され、出力音声信号として出力される。また、入力手段９による操作履歴など動作中の履歴情報は、システム制御手段８によりＦＬＡＳＨメモリーなどの履歴記憶手段１１に記憶される。
【００２２】
ここで、本発明に係るタイマー予約設定時の動作について説明する。まず、入力手段９からの所定の操作により、ＯＳＤ手段１０にてメニュー画像を生成し、出力映像信号として出力し外部に接続した表示装置にメニュー画面を表示する。ユーザはメニュー画面を見ながら、タイマー予約設定をする。このタイマー予約設定時には、時間帯、映像の記録要否、音声の記録要否の設定を行なう。その後、監視状態となり、設定している時間帯になるとタイマー予約設定時に設定した映像及び音声の記録要否に従い記録動作を開始する。
【００２３】
例えば、映像と音声の両方とも記録する設定の場合には、映像圧縮伸張手段２及び音声圧縮伸張手段２ａにて圧縮された圧縮映像データ及び圧縮音声データを、記録媒体用通信手段４にて、システム制御手段８の命令により時刻情報等の管理情報を合成するとともに映像データと音声データの同期を合わせ合成（多重化）した上で、記録データとして記録媒体６に記録される。
【００２４】
映像のみ記録する設定の場合には、映像圧縮伸張手段２にて圧縮された圧縮映像データを、記録媒体用通信手段４にて、システム制御手段８の命令により時刻情報等の管理情報を合成し記録データとして記録媒体６に記録する。一方、音声圧縮伸張手段２ａにて圧縮された圧縮音声データは、システム制御手段８からの制御により記録媒体用通信手段４へ送らないようにし、記録媒体６には記録しない。
【００２５】
音声のみ記録する設定の場合には、音声圧縮伸張手段２ａにて圧縮された圧縮音声データを、記録媒体用通信手段４にて、システム制御手段８の命令により時刻情報等の管理情報を合成し記録データとして記録媒体６に記録する。一方、映像圧縮伸張手段２にて圧縮された圧縮映像データは、システム制御手段８からの制御により記録媒体用通信手段４へ送らないようにし、記録媒体６には記録しない。
【００２６】
以上のように、映像または音声が記録不要な場合には、システム制御手段８からの制御により映像圧縮伸張手段２または音声圧縮伸張手段２ａから記録媒体用通信手段４へ圧縮映像データまたは圧縮音声データを送らず、記録媒体６に記録しないように管理することが出来る。そのため、時間帯毎に映像データと音声データの記録要否を独立して設定できるようにすることで、不要な映像または音声の記録データを減らし、長時間記録が可能となる。
【００２７】
ここで、本発明による記録データの構成を、図２を用いて説明する。図２は、本発明の第１の実施形態による記録データ構成の模式図である。図２（ａ）は映像及び音声を多重化して記録した場合で、不要なデータを無音、無画面として記録した場合を示す。図２（ｂ）は映像及び音声を多重化して記録した場合で、不要なデータを記録しない場合を示す。図２（ａ）中、網掛けで示した音声１（無音）００１と映像２（無画面）００２が、不要なデータに相当する。図２（ａ）ではこれら不要なデータを無音または黒一色等の無画面のデータとして扱い、記録している事を示している。これを、図２（ｂ）に示すように無音のデータ、無画面のデータとして扱わずに、データそのものを記録しないことで、記録媒体６への記録データのデータ量を減らすことができ、長時間記録が可能となる。例えば、記録媒体６が５００ＧＢのハードディスクとして標準設定時で映像を記録した場合、音声ありでは約４０日記録可能であるが、音声なしでは約５１日記録が可能である。
【００２８】
次に、本発明に係るタイマー記録設定の処理の流れ及び表示例を、図３〜図１０を用いて説明する。
【００２９】
図３は本発明の第１の実施形態によるタイマー予約一覧を表す図、図４は本発明の第１の実施形態による記録設定メニュー画面、図５は本発明の第１の実施形態によるタイマー予約メニュー（映像）画面例、図６は本発明の第１の実施形態によるタイマー予約メニュー（音声）画面例、図７は本発明の第１の実施形態によるタイマー予約確認画面（例１）、図８は本発明の第１の実施形態によるタイマー予約確認画面（例２）、図９は本発明の第１の実施形態による記録設定時のフローチャート（その１）、図１０は本発明の第１の実施形態による記録設定時のフローチャート（その２）を示す。
【００３０】
尚、本実施例では、通常記録、タイマー記録、アラーム記録の場合毎に映像及び音声の記録設定を行なうことができる。ここで、「通常記録」では、映像音声記録装置が監視モードに入っている間に記録する映像や音声の記録要否を設定し、「タイマー記録」では、記録の動作を実行する時間帯を映像と音声で別々に設定し、「アラーム記録」では、アラーム信号やモーション検知をトリガーにして、映像及びまたは音声記録の動作を実行するかどうかの設定をする。
【００３１】
まず、具体的なタイマー予約例を説明する。図３に示すように、映像は従業員がいる時間４：００〜２２：００は記録必要、それ以外の消灯時間２２：００〜４：００は記録不要、音声は営業時間１０：００〜２０：００は記録不要、それ以外の２０：００〜１０：００は記録必要と設定する場合を示しており、処理の流れ及び表示例について以下説明する。
【００３２】
図９のステップ１０１で入力手段９からの所定の操作により記録設定メニューを開く操作を実行すると、ステップ１０２で図４に示す記録設定メニュー画面が表示されるので、映像の記録設定を開始する。図４に示すように記録設定メニュー画面には「通常記録」「タイマー記録」「アラーム記録」時それぞれで映像、音声毎に設定できるようになっており、まずステップ１０３で通常記録時の映像の記録を設定し（例えば「記録しない」）、ステップ１０４に進む。ステップ１０４でタイマー記録時の映像の記録を「有効」に設定すると、ステップ１０５で図５に示すタイマー予約メニュー（映像）の画面を表示する。ステップ１０４でタイマー記録時の映像の記録を「無効」に設定すると、ステップ１１２へ進む。図５に示すようにタイマー予約メニュー（映像）画面には複数の設定ができるように１から８のプログラム番号が準備され、プログラム番号毎に曜日、開始時刻、終了時刻が設定できるようになっており、まずステップ１０６で一覧表示されているプログラム番号の中から任意のプログラム番号（例えば番号１）を選び、ステップ１０７で曜日（例えば全ての曜日［月火水木金土日］）を設定する。ステップ１０８でタイマー記録を開始する開始時刻（例えば０４:００）を設定し、さらにステップ１０９で終了時刻（例えば２２：００）を設定する。ステップ１０９の後、別のプログラム番号を選択するとステップ１１０でタイマー予約を続けると判断し、ステップ１０７に戻り次のタイマー予約の設定を繰り返す。ステップ１０９の後、図５右下の「終了ボタン」４０２を選択すると、ステップ１１０でタイマー予約設定終了と判断しタイマー予約設定処理を終了して、ステップ１１１で図５のタイマー予約メニュー（映像）画面を閉じて図４の記録設定メニュー画面を表示する。ステップ１１２でアラーム記録時の映像の記録を設定し（例えば「有効」）、図１０のステップ２０３へ進み続けて音声について設定する。
【００３３】
ステップ２０３で通常記録の音声の記録を設定し（例えば「記録しない」）、ステップ２０４に進む。ステップ２０４でタイマー記録時の音声の記録を「有効」に設定すると、ステップ２０５で図６に示すタイマー予約メニュー（音声）の画面を表示する。ステップ２０４でタイマー記録時の音声の記録を「無効」に設定すると、ステップ２１３へ進む。図６に示すようにタイマー予約メニュー（音声）画面には図５と同様に複数の設定ができるように１から８のプログラム番号が準備され、プログラム番号毎に曜日、開始時刻、終了時刻が設定できるようになっており、まずステップ２０６で一覧表示されているプログラム番号の中から任意のプログラム番号（例えば番号１）を選び、ステップ２０７で曜日（例えば全ての曜日［月火水木金土日］）を設定する。ステップ２０８でタイマー記録を開始する開始時刻（例えば２０：００）を設定し、さらにステップ２０９で終了時刻（例えば１０：００）を設定する。ステップ２０９の後、別のプログラム番号を選択するとステップ２１０でタイマー予約を続けると判断し、ステップ２０７に戻り次のタイマー予約の設定を繰り返す。ステップ２０９の後、図６右下の「終了ボタン」４０３を選択すると、ステップ２１０でタイマー予約設定終了と判断しタイマー予約設定処理を終了して、ステップ２１１で、図６のタイマー予約メニュー（音声）画面を閉じて図７のタイマー予約確認画面(例１)または図８のタイマー予約確認画面(例２)を表示する。ここで、図７、図８は、図３に従い正確に設定できた場合ことを確認するための確認画面であり、図７は映像と音声別々に記録要否時間帯を表示しており、図８は時間帯別に映像、音声の記録要否を表示している。この表示をすることによって、思ったとおりの設定が出来ているか確認をすることが出来るため、設定をミスする可能性を軽減することが期待できる。
【００３４】
ステップ２１１でのタイマー予約確認画面で設定が間違いないことを確認できたら、図７または図８右下の「確認ボタン」４０４または４０５を選択し、タイマー予約設定を終了して、ステップ２１２で図７または図８のタイマー予約確認画面を閉じて図４の記録設定メニュー画面を表示する。その後、ステップ２１３でアラーム記録時の音声の記録を設定し（例えば「有効」）、「終了ボタン」４０１を選択すると、記録設定処理を終了する。
【００３５】
次に、本発明の第１の実施形態による映像音声記録装置のタイマー記録時の動作処理を図１１〜図１５を使って説明する。図１１は本発明の第１の実施形態によるタイマー記録時フローチャート（その１）、図１２は本発明の第１の実施形態によるタイマー記録時フローチャート（その２）、図１３は本発明の第１の実施形態によるタイマー記録時フローチャート（その３）、図１４は本発明の第１の実施形態によるタイマー記録時フローチャート（その４）、図１５は本発明の第１の実施形態によるタイマー記録時フローチャート（その５）を示す。
【００３６】
上記タイマー予約記録設定後、入力手段９でタイマー記録釦を押すと、図１１のステップ３０１でタイマー記録待機中になる。ステップ３０２でタイマー記録設定時刻か否かの判断を行なう。ステップ３０２で設定時刻でない（ＮＯ）場合はステップ３０１に戻ってタイマー記録待機中となる。ステップ３０２で設定時刻（ＹＥＳ）の場合はステップ３０３に進む。ステップ３０３では、アラーム記録中か否かの判断を行なう。アラーム記録中（ＹＥＳ）の場合は図１５のステップ９０１に進む（後で説明）。
【００３７】
アラーム記録中でない（ＮＯ）の場合はステップ３０４に進む。ステップ３０４では、今のタイマー記録設定時刻での設定は映像記録のみなのか否かを判断する。映像記録のみの設定時刻（ＹＥＳ）の場合は、図１３のステップ６０１に進む（後で説明）。映像記録のみではない（ＮＯ）場合は、ステップ３０５に進む。ステップ３０５では、今のタイマー記録設定時刻での設定は音声記録のみなのか否かを判断する。音声記録のみの設定時刻（ＹＥＳ）の場合は、図１４のステップ７０１に進む（後で説明）。音声記録のみではない（ＮＯ）場合は、映像及び音声の記録が設定してある設定時刻だと判断し、ステップ３０６に進む。ステップ３０６では、通常記録中か否かを判断する。通常記録中でない（ＮＯ）場合は、ステップ３０８に進む。通常記録中（ＹＥＳ）の場合は、タイマー記録の方が通常記録より優先されるため、ステップ３０７で通常記録を中断し、中断の履歴を履歴記憶手段１１に書き込んだ後、ステップ３０８に進む。
【００３８】
ステップ３０８では、システム制御手段８からの制御により、映像圧縮伸張手段２及び音声圧縮伸張手段２ａから記録媒体用通信手段４への圧縮映像データ及び圧縮音声データの送出を開始し、ステップ３０９で映像及び音声データのタイマー記録を行なう。その後、図１２のステップ５０１に進む。
【００３９】
ステップ５０１では、タイマー記録の終了時刻か否かの判断を行なう。終了時刻でない（ＮＯ）の場合、図１１のステップ３０９に戻ってタイマー記録を継続する。ステップ５０１でタイマー記録終了時刻（ＹＥＳ）の場合、ステップ５０２に進む。ステップ５０２では、終了時刻が映像記録の終了時刻か否かの判断をする。映像記録の終了時刻でない（ＮＯ）場合、音声記録の終了時刻と判断して、ステップ５０３にて音声圧縮伸張手段２ａからの圧縮音声データの送出を停止し、図１３のステップ６０７に進む（後で説明）。ステップ５０２で映像記録の終了時刻（ＹＥＳ）の場合、ステップ５０４に進む。ステップ５０４では、終了時刻が音声記録の終了時刻か否かの判断をする。音声記録の終了時刻でない（ＮＯ）場合、映像記録の終了時刻と判断して、ステップ５０５にて映像圧縮伸張手段２からの圧縮映像データの送出を停止し、図１４のステップ７０７に進む（後で説明）。ステップ５０４で音声記録の終了時刻（ＹＥＳ）の場合、映像及び音声の終了時刻と判断し、ステップ５０６にて映像圧縮伸張手段２及び音声圧縮伸張手段２ａから記録媒体用通信手段４への圧縮映像データ及び圧縮音声データの送出を停止し、ステップ５０７に進む。ステップ５０７では、ステップ３０７にて通常記録を中断したか否かを、履歴記憶手段１１の情報を読み出して判断する。通常記録を中断していない（ＮＯ）場合、ステップ３０１に戻ってタイマー記録待機中となる。通常記録を中断した（ＹＥＳ）場合、ステップ５０８にて通常記録の再開をした後、ステップ３０１に戻りタイマー記録待機中となる。
【００４０】
次に、図１１のステップ３０４での判断が映像記録のみのタイマー記録設定時刻（ＹＥＳ）で、図１３のステップ６０１に進んだ場合の動作について説明する。ステップ６０１では、通常記録中か否かの判断をする。通常記録中でない（ＮＯ）の場合、ステップ６０６に進む。ステップ６０１で通常記録中（ＹＥＳ）の場合、ステップ６０２に進む。ステップ６０２では、通常記録が音声のみか否かの判断をする。通常記録が音声のみ（ＹＥＳ）の場合、映像のタイマー記録に干渉することは無いので、音声の通常記録を継続したままステップ６０６に進む。通常記録が音声のみでない（ＮＯ）場合、ステップ６０４に進む。
【００４１】
ステップ６０４では通常記録が映像のみか否かの判断をする。通常記録が映像のみ（ＹＥＳ）の場合、映像のタイマー記録に干渉するため、タイマー記録の方を優先してステップ６０３で通常記録を中断し、中断の履歴を履歴記憶手段１１に書き込んだ後、ステップ６０６に進む。ステップ６０４で通常記録が映像のみでない（ＮＯ）場合、映像及び音声の通常記録中と判断し、ステップ６０５で映像のタイマー記録と干渉する映像の通常記録のみを中断し、中断の履歴を履歴記憶手段１１に書き込んだ後、音声の通常記録は継続したままステップ６０６に進む。ステップ６０６では、システム制御手段８からの制御により、映像圧縮伸張手段２から記録媒体用通信手段４への圧縮映像データの送出を開始し、ステップ６０７で映像のタイマー記録を開始する。次に、ステップ６０８では、映像のタイマー記録が終了時刻か否かの判断をする。終了時刻（ＹＥＳ）の場合、ステップ６０９に進み、圧縮映像データの送出を停止後、図１２のステップ５０７に進みステップ６０３またはステップ６０５で通常記録を中断したか否かを、履歴記憶手段１１の情報を読み出して判断する。通常記録を中断していない（ＮＯ）場合、ステップ３０１に戻ってタイマー記録待機中となる。通常記録を中断した（ＹＥＳ）場合、ステップ５０８にて通常記録の再開をした後、ステップ３０１に戻りタイマー記録待機中となる。
【００４２】
ステップ６０８の判断が終了時刻でない（ＮＯ）場合、ステップ６１０に進み、音声のタイマー記録設定時刻か否かの判断をする。音声のタイマー記録設定時刻（ＹＥＳ）の場合、ステップ６１１に進み圧縮音声データを送出後、図１１のステップ３０９に進み映像及び音声のタイマー記録状態となる。
【００４３】
ステップ６１０で音声のタイマー記録設定時刻でない（ＮＯ）の場合、ステップ６１２に進み、映像アラーム入力が有るか否かの判断をする。映像アラーム入力が有る（ＹＥＳ）場合、アラーム記録の方がタイマー記録より優先となるため、ステップ６１３に進み映像のタイマー記録を中断後、図１１のステップ３０１に戻りタイマー記録待機中となる。映像アラーム入力が無い（ＮＯ）場合、ステップ６０７に戻り、映像のタイマー記録を継続する。
【００４４】
次に、図１１のステップ３０５での判断が音声記録のみのタイマー記録設定時刻（ＹＥＳ）で、図１４のステップ７０１に進んだ場合の動作について説明する。ステップ７０１では、通常記録中か否かの判断をする。通常記録中でない（ＮＯ）の場合、ステップ７０６に進む。ステップ７０１で通常記録中（ＹＥＳ）の場合、ステップ７０２に進む。ステップ７０２では、通常記録が映像のみか否かの判断をする。通常記録が映像のみ（ＹＥＳ）の場合、音声のタイマー記録に干渉することは無いので、映像の通常記録を継続したままステップ７０６に進む。通常記録が音声のみでない（ＮＯ）場合、ステップ７０４に進む。
【００４５】
ステップ７０４では通常記録が音声のみか否かの判断をする。通常記録が音声のみ（ＹＥＳ）の場合、音声のタイマー記録に干渉するため、タイマー記録の方を優先してステップ７０３で通常記録を中断し、中断の履歴を履歴記憶手段１１に書き込んだ後、ステップ７０６に進む。ステップ７０４で通常記録が音声のみでない（ＮＯ）場合、映像及び音声の通常記録中と判断し、ステップ７０３で音声のタイマー記録と干渉する音声の通常記録のみを中断し、中断の履歴を履歴記憶手段１１に書き込んだ後、映像の通常記録は継続したままステップ７０６に進む。ステップ７０６では、システム制御手段８からの制御により、音声圧縮伸張手段２ａから記録媒体用通信手段４への圧縮音声データの送出を開始し、ステップ７０７で音声のタイマー記録を開始する。次に、ステップ７０８では、音声のタイマー記録が終了時刻か否かの判断をする。終了時刻（ＹＥＳ）の場合、ステップ７０９に進み、圧縮音声データの送出を停止後、図１２のステップ５０７に進みステップ７０３またはステップ７０５で通常記録を中断したか否かを、履歴記憶手段１１の情報を読み出して判断する。通常記録を中断していない（ＮＯ）場合、ステップ３０１に戻ってタイマー記録待機中となる。通常記録を中断した（ＹＥＳ）場合、ステップ５０８にて通常記録の再開をした後、ステップ３０１に戻りタイマー記録待機中となる。
【００４６】
ステップ７０８の判断が終了時刻でない（ＮＯ）場合、ステップ７１０に進み、映像のタイマー記録設定時刻か否かの判断をする。映像のタイマー記録設定時刻（ＹＥＳ）の場合、ステップ７１１に進み圧縮映像データを送出後、図１１のステップ３０９に進み映像及び音声のタイマー記録状態となる。
【００４７】
ステップ７１０で映像のタイマー記録設定時刻でない（ＮＯ）の場合、ステップ７１２に進み、音声アラーム入力が有るか否かの判断をする。音声アラーム入力が有る（ＹＥＳ）場合、アラーム記録の方がタイマー記録より優先となるため、ステップ７１３に進み映像のタイマー記録を中断後、図１１のステップ３０１に戻りタイマー記録待機中となる。音声アラーム入力が無い（ＮＯ）場合、ステップ７０７に戻り、音声のタイマー記録を継続する。
【００４８】
次に、ステップ５０３にて音声圧縮伸張手段２ａからの圧縮音声データの送出を停止し、図１３のステップ６０７に進んだ場合の動作について説明する。ステップ６０７で映像のみタイマー記録を継続する。次に、ステップ６０８では、映像のタイマー記録が終了時刻か否かの判断をする。終了時刻（ＹＥＳ）の場合、ステップ６０９に進み、圧縮映像データの送出を停止後、図１２のステップ５０７に進み、ステップ６０３またはステップ６０５で通常記録を中断したか否かを、履歴記憶手段１１の情報を読み出して判断する。通常記録を中断していない（ＮＯ）場合、ステップ３０１に戻ってタイマー記録待機中となる。通常記録を中断した（ＹＥＳ）場合、ステップ５０８にて通常記録の再開をした後、ステップ３０１に戻りタイマー記録待機中となる。
【００４９】
ステップ６０８の判断が終了時刻でない（ＮＯ）場合、ステップ６１０に進み、音声のタイマー記録設定時刻か否かの判断をする。音声のタイマー記録設定時刻（ＹＥＳ）の場合、ステップ６１１に進み圧縮音声データを送出後、図１１のステップ３０９に進み映像及び音声のタイマー記録状態となる。
【００５０】
ステップ６１０で音声のタイマー記録設定時刻でない（ＮＯ）の場合、ステップ６１２に進み、映像アラーム入力が有るか否かの判断をする。映像アラーム入力が有る（ＹＥＳ）場合、アラーム記録の方がタイマー記録より優先となるため、ステップ６１３に進み映像のタイマー記録を中断後、図１１のステップ３０１に戻りタイマー記録待機中となる。映像アラーム入力が無い（ＮＯ）場合、ステップ６０７に戻り、映像のタイマー記録を継続する。
【００５１】
次に、図１２のステップ５０５にて映像圧縮伸張手段２からの圧縮映像データの送出を停止し、図１４のステップ７０７に進んだ場合の動作について説明する。ステップ７０７で音声のみタイマー記録を継続する。次に、ステップ７０８では、音声のタイマー記録が終了時刻か否かの判断をする。終了時刻（ＹＥＳ）の場合、ステップ７０９に進み、圧縮音声データの送出を停止後、図１２のステップ５０７に進みステップ７０３またはステップ７０５で通常記録を中断したか否かを、履歴記憶手段１１の情報を読み出して判断する。通常記録を中断していない（ＮＯ）場合、ステップ３０１に戻ってタイマー記録待機中となる。通常記録を中断した（ＹＥＳ）場合、ステップ５０８にて通常記録の再開をした後、ステップ３０１に戻りタイマー記録待機中となる。
【００５２】
ステップ７０８の判断が終了時刻でない（ＮＯ）場合、ステップ７１０に進み、映像のタイマー記録設定時刻か否かの判断をする。映像のタイマー記録設定時刻（ＹＥＳ）の場合、ステップ７１１に進み圧縮映像データを送出後、図１１のステップ３０９に進み映像及び音声のタイマー記録状態となる。
【００５３】
ステップ７１０で映像のタイマー記録設定時刻でない（ＮＯ）の場合、ステップ７１２に進み、音声アラーム入力が有るか否かの判断をする。音声アラーム入力が有る（ＹＥＳ）場合、アラーム記録の方がタイマー記録より優先となるため、ステップ７１３に進み映像タイマー記録を中断後、図１１のステップ３０１に戻りタイマー記録待機中となる。音声アラーム入力が無い（ＮＯ）場合、ステップ７０７に戻り、音声のタイマー記録を継続する。
【００５４】
次に、図１１のステップ３０３での判断がアラーム記録中（ＹＥＳ）で、図１５のステップ９０１に進んだ場合の動作について説明する。ステップ９０１では、映像のみのアラーム記録中か否かの判断をする。映像のみ（ＹＥＳ）の場合は、ステップ９０３に進む。ステップ９０３では、映像のタイマー記録設定時刻か否かを判断する。映像のタイマー記録設定時刻（ＹＥＳ）の場合、映像のアラーム記録と干渉するため、映像のアラーム記録の方を優先し、図１１のステップ３０１に戻ってタイマー記録待機中となる。
【００５５】
ステップ９０３で映像のタイマー記録設定時刻でない（ＮＯ）場合、音声のタイマー記録設定時刻と判断する。この場合は、映像のアラーム記録とは干渉しないため、図１４のステップ７０１に進む。ステップ９０１の判断が映像のみのアラーム記録ではない（ＮＯ）場合、ステップ９０２に進む。ステップ９０２では、音声のみのアラーム記録中か否かの判断をする。音声のみでない（ＮＯ）の場合は、映像及び音声のアラーム記録と判断し、図１１のステップ３０１に戻ってタイマー記録待機中となる。ステップ９０２で音声のみ（ＹＥＳ）の場合は、ステップ９０４に進む。ステップ９０４では音声のタイマー記録設定時刻か否かを判断する。音声のタイマー記録設定時刻（ＹＥＳ）の場合、音声のアラーム記録と干渉するため、音声のアラーム記録の方を優先し、図１１のステップ３０１に戻ってタイマー記録待機中となる。音声のタイマー記録設定時刻でない（ＮＯ）場合、映像のタイマー記録設定時刻と判断する。この場合、音声のアラーム記録とは干渉しないため、図１３のステップ６０１に進む。
【００５６】
また、本発明のタイマー記録設定を使って記録した場合、映像のみが記録されている時間帯と、音声のみが記録されている時間帯、映像と音声の両方が記録されている時間帯の３通りのパターンが有り得る。そのため、本実施例では、再生時に現在再生中の画面がどのパターンで記録されているのかを確認できるように、再生画面上に情報表示を行っている。本発明の第１の実施形態による再生時の表示例を図１６、図１７を用いて説明する。図１６は本発明の第１の実施形態による音声のみ記録時の再生画面例、図１７は本発明の第１の実施形態による映像のみ記録時の再生画面例を示す。
【００５７】
音声のみが記録されている場合には、再生時映像が画面に表示されないので故障等と区別できるように、図１６に示すように、情報表示エリア１２０１に「映像：無し」、「音声：有り」を表示し、さらに映像表示エリア１２０２には、ブルーバック等の背景画像の中に「映像は記録されていません」の表示を入れている。
【００５８】
映像のみが記録されている場合には、再生時音声が出力されないので故障等と区別できるように、図１７に示すように、情報表示エリア１２０１に「映像：有り」、「音声：無し」を表示し、さらに映像表示エリア１２０２には、再生画を表示している。
【００５９】
尚、本実施例ではタイマー予約設定時、映像または音声の記録要否の設定についてのみ説明したが、画質、音質や録画間隔、解像度等の録画モードを設定できるようにしても構わない。
【実施例２】
【００６０】
本発明による映像音声記録装置の第２の実施形態を、図１８〜図２０を用いて説明する。実施例１との違いは、実施例１の場合は、通常記録を「記録しない」に設定しておき、映像及びまたは音声を記録する時間帯をタイマー予約で設定して、必要なデータのみ記録するという方法であるのに対し、実施例２の場合は、時間帯毎に映像と音声の記録する／しないを設定してその時間帯に必要なデータのみ記録する方法である。尚、実施例２の場合、通常記録は常に「記録する」状態で固定としている。ここでは、実施例１と異なるタイマー予約メニューの設定の方法を中心に説明する。尚、ここでは実施例１の図３に示した記録設定と同じにする場合で説明する。
【００６１】
本発明の第２の実施形態によるタイマー予約設定時の処理の流れ及び表示例を図１８、図１９を用いて説明する。図１８は本発明の第２の実施形態によるタイマー予約メニュー（映像・音声）画面例、図１９は本発明の第２の実施形態による記録設定時のフローチャートを示す。
【００６２】
入力手段９からの所定の操作によりタイマー予約メニュー（映像・音声）を開くための操作を実行すると、ステップ１３０１で図１８のタイマー予約メニュー（映像・音声）画面が表示される。ここで、図１８に示すタイマー予約メニュー（映像・音声）画面には複数の設定ができるように１から８のプログラム番号が準備され、プログラム番号毎に曜日、開始時刻、終了時刻、映像記録の要否、音声記録の要否が設定できるようになっている。
【００６３】
ステップ１３０２で一覧表示されているプログラム番号の中から任意のプログラム番号（例えば番号１）を選び、ステップ１３０３で曜日（例えば全ての曜日［月火水木金土日］）を設定する。ステップ１３０４でタイマー記録を開始する開始時刻（例えば２２：００）を、さらにステップ１３０５で終了時刻（例えば０４：００）をそれぞれ設定しステップ１３０６へ進む。ステップ１３０６で映像記録の要否を設定するために、映像を記録する場合は「記録する」に、映像を記録しない場合は「記録しない」に設定し、ステップ１３０７へ進む。ステップ１３０７で音声記録の要否を設定するために、音声を記録する場合は「記録する」に、音声を記録しない場合は「記録しない」に設定する。ここでは、映像は「記録しない」、音声は「記録する」に設定する。ステップ１３０７の後、複数のタイマー予約を設定する場合（例えば曜日毎に記録する時間帯を変更したい場合）は、別のプログラム番号を選択するとステップ１３０８でタイマー予約を続けると判断し、ステップ１３０３に戻り次のタイマー予約の設定を繰り返す。ここでは、図１８のようにプログラム１〜２まで設定する必要があるので、ステップ１３０７の後プログラム番号２を選択するとステップ１３０８でタイマー予約を続けると判断し、ステップ１３０３に戻り曜日（例えば全ての曜日［月火水木金土日］）を設定し、ステップ１３０４で開始時刻１０：００、ステップ１３０５で終了時刻２０：００、ステップ１３０６で映像を「記録する」、ステップ１３０７で音声を「記録しない」と設定した後、図１８右下の「終了ボタン」１８０１を選択するとステップ１３０８でタイマー予約終了と判断し、ステップ１３０９で図１８のタイマー予約メニュー（映像・音声）画面を閉じて図７または図８のタイマー予約確認画面を表示する。設定が間違いないことが確認できたら「確認ボタン」４０４または４０５を選択し、タイマー予約設定終了となる。
【００６４】
次に、本発明の第２の実施形態による映像音声記録装置のタイマー記録時の動作処理を図２０を使って説明する。図２０は本発明の第２の実施形態によるタイマー記録時フローチャートを示す。
【００６５】
上記タイマー記録設定後、入力手段９でタイマー記録釦を押すと、図２０のステップ１４０１でタイマー記録待機中になる。ステップ１４０２でタイマー設定時刻か否かの判断を行なう。ステップ１４０２でタイマー設定時刻でない（ＮＯ）場合はステップ１４０１に戻ってタイマー記録待機中となる。ステップ１４０２でタイマー設定時刻（ＹＥＳ）の場合はステップ１４０３に進む。
【００６６】
ステップ１４０３では、映像を記録するか否かの判断をする。映像を記録しない（ＮＯ）の場合、ステップ１４０４でシステム制御手段８からの命令により映像圧縮伸張手段２から記録媒体用通信手段６へのデータの送出を禁止した後、ステップ１４０６に進む。ステップ１４０３で映像を記録する（ＹＥＳ）の場合、ステップ１４０５でシステム制御手段８からの命令により映像圧縮伸張手段２から記録媒体用通信手段６へのデータを送出し、ステップ１４０６へ進む。
【００６７】
ステップ１４０６では、音声を記録するか否かの判断をする。音声を記録しない（ＮＯ）の場合、ステップ１４０７でシステム制御手段８からの命令により音声圧縮伸張手段２ａから記録媒体用通信手段６へのデータの送出を禁止した後、ステップ１４０９に進む。ステップ１４０６で音声を記録する（ＹＥＳ）の場合、ステップ１４０８でシステム制御手段８からの命令により音声圧縮伸張手段２ａから記録媒体用通信手段６へのデータを送出し、ステップ１４０９に進む。ステップ１４０９でタイマー記録の動作に入る。このとき、ステップ１４０６及びステップ１４０８の判断がどちらもＮＯの場合、タイマー動作中は映像及び音声を記録しないことになる。
【００６８】
その後、ステップ１４１０でタイマー終了時刻か否かの判断をする。タイマー終了時刻でない（ＮＯ）の場合、ステップ１４０９に戻りタイマー動作を継続する。ステップ１４１０でタイマー終了時刻（ＹＥＳ）の場合、ステップ１４１１で通常記録の設定に従いデータ送出の停止或いはデータ送出禁止の解除を行ない、ステップ１４０１に戻り、タイマー記録待機中となり、通常記録に復帰する。
【００６９】
尚、本実施例ではタイマー予約設定時、映像または音声の記録要否の設定についてのみ説明したが、画質、音質や録画間隔、解像度等の録画モードを設定できるようにしても構わない。
【００７０】
尚、本実施例１及び２では不要な映像または音声データは記録しない内容にしたが、不要な映像または音声の入力信号をカットし無映像信号または無音声信号にするようにしても構わない。無画面信号または無音信号とすることで、圧縮処理後のデータ量を少なくできるので、長時間記録が可能となる。
【００７１】
以上の実施例のように本発明は、時間帯毎に映像データと音声データの記録設定を独立して別々に設定できるようにすることで、不要な映像または音声の記録データを減らすことで長時間記録を可能とすることができる。
【００７２】
以上の説明から明らかなように、本発明の一観点は、映像データ及びまたは音声データを記録媒体に記録する機能と、設定した時間帯に記録するタイマー記録機能とを有した映像音声記録装置において、前記タイマー記録機能による設定時、映像データと音声データの記録設定を別々に設定できることを特徴とする。これにより、時間帯毎に映像データと音声データの記録設定を独立して別々に設定することで、不要な映像または音声の記録データを減らすことが出来、より長時間の記録が可能となる。
【００７３】
さらに、映像データと音声データを記録する時間帯を別々に設定できることを特徴とする。これにより、映像データを記録する時間帯と、音声データを記録する時間帯を別々に設定できるので、記録が不要な時間帯の映像または音声の記録データを記録することがなくなり、記録データを減らすことが出来、より長時間の記録が可能となる。
【００７４】
さらに、映像データ及びまたは音声データの記録要否を別々に設定できることを特徴とする。これにより、時間帯毎に映像データと音声データの記録する／しないを別々に設定できるので、時間帯毎に不要なデータを記録することがなくなり、記録データを減らすことが出来、より長時間の記録が可能となる。
【００７５】
さらに、記録をしないことに設定された映像データ及びまたは音声データは記録しないことを特徴とする。これにより、必要のない映像または音声のデータが記録されなくなるため、無画面の映像、無音のデータを記録する場合と比較して、より長時間の記録が可能になる。
【図面の簡単な説明】
【００７６】
【図１】本発明の第１の実施形態による映像音声記録装置のブロック図
【図２】本発明の第１の実施形態による記録データ構成の模式図
【図３】本発明の第１の実施形態によるタイマー予約一覧を表す図
【図４】本発明の第１の実施形態による記録設定メニュー画面
【図５】本発明の第１の実施形態によるのタイマー予約メニュー（映像）画面例
【図６】本発明の第１の実施形態によるタイマー予約メニュー（音声）画面例
【図７】本発明の第１の実施形態によるタイマー予約確認画面（例１）
【図８】本発明の第１の実施形態によるタイマー予約確認画面（例２）
【図９】本発明の第１の実施形態による記録設定時フローチャート（その１）
【図１０】本発明の第１の実施形態による記録設定時フローチャート（その２）
【図１１】本発明の第１の実施形態によるタイマー記録時フローチャート（その１）
【図１２】本発明の第１の実施形態によるタイマー記録時フローチャート（その２）
【図１３】本発明の第１の実施形態によるタイマー記録時フローチャート（その３）
【図１４】本発明の第１の実施形態によるタイマー記録時フローチャート（その４）
【図１５】本発明の第１の実施形態によるタイマー記録時フローチャート（その５）
【図１６】本発明の第１の実施形態による音声のみ記録時の再生画面例
【図１７】本発明の第１の実施形態による映像のみ記録時の再生画面例
【図１８】本発明の第２の実施形態によるタイマー予約メニュー画面例
【図１９】本発明の第２の実施形態によるタイマー予約時フローチャート
【図２０】本発明の第２の実施形態によるタイマー記録時フローチャート
【符号の説明】
【００７７】
００１…音声１（無音）、００２…映像２（無画面）、１…Ａ／Ｄ変換手段、
１ａ…Ａ／Ｄ変換手段、２…映像圧縮伸張手段、２ａ…音声圧縮伸張手段、
３…一時記憶手段、３ａ…一時記憶手段、４…記録媒体用通信手段、５…一時記憶手段、
６…記憶媒体、７…Ｄ／Ａ変換手段、７ａ…Ｄ／Ａ変換手段、８…システム制御手段、
９…入力手段、１０…ＯＳＤ手段、１１…履歴記憶手段、
４０１、４０２、４０３、１８０１…終了ボタン、４０４、４０５…確認ボタン、
１２０１…情報表示エリア、１２０２…映像表示エリア
【図１】
0004479651.tif 000002
【図２】
0004479651.tif 000003
【図３】
0004479651.tif 000004
【図４】
0004479651.tif 000005
【図５】
0004479651.tif 000006
【図６】
0004479651.tif 000007
【図７】
0004479651.tif 000008
【図８】
0004479651.tif 000009
【図９】
0004479651.tif 000010
【図１０】
0004479651.tif 000011
【図１１】
0004479651.tif 000012
【図１２】
0004479651.tif 000013
【図１３】
0004479651.tif 000014
【図１４】
0004479651.tif 000015
【図１５】
0004479651.tif 000016
【図１６】
0004479651.tif 000017
【図１７】
0004479651.tif 000018
【図１８】
0004479651.tif 000019
【図１９】
0004479651.tif 000020
【図２０】
0004479651.tif 000021